(57)【要約】【課題】施工が容易で、地震等によっても破損することがない貯留浸透槽を提供すること。【解決手段】矩形プレート状の複数のコンクリートパネル２，３，４を樹脂製の連結部材５によって連結して成る矩形平面状の上壁１Ａと底壁１Ｂとを、上下に対向する一対の前記連結部材５の間にコンクリート柱６を介設することによって互いに平行に配置し、これらの上壁１Ａと底壁１Ｂの周囲をコンクリート製の複数の側壁パネル７，８で囲んで貯留浸透槽１を構成する。ここで、連結部材５は、樹脂によって一体成形される部材であって、矩形プレート状のベース部５Ａの四隅から中空状の突起部５Ｂを一体に突設して構成されるものである。【選択図】図２
2018131796.tif 000002
【特許請求の範囲】
【請求項１】
樹脂によって一体成形される部材であって、矩形プレート状のベース部の四隅から中空状の突起部を一体に突設して構成されることを特徴とする連結部材。
【請求項２】
矩形プレート状の複数のコンクリートパネルを請求項１記載の連結部材によって連結して成る矩形平面状の上壁と底壁とを、上下に対向する一対の前記連結部材の間にコンクリート柱を介設することによって互いに平行に配置し、これらの上壁と底壁の周囲をコンクリート製の複数の側壁パネルで囲んで構成されることを特徴とする貯留浸透槽。
【請求項３】
矩形プレート状の複数のコンクリートパネルを請求項１記載の連結部材によって連結して矩形平面状の底壁を形成し、各連結部材の突起にコンクリート柱を差し込んでこれらを略垂直に起立させた後、
互いに連結されたコンクリート製の複数の側壁パネルによって前記底壁の周囲を囲み、
前記コンクリート柱に請求項１記載の別の連結部材の突起に形成された穴を差し込んで該連結部材を前記コンクリート柱によって支持し、
矩形プレート状の複数のコンクリートパネルを前記別の連結部材によって連結して矩形平面状の上壁を形成することを特徴とする貯留浸透槽の構築方法。
【発明の詳細な説明】
【技術分野】
【０００１】
本発明は、集水した雨水を地下で一時的に貯留した後に徐々に地中に浸透させるための貯留浸透槽とこれを構築するための連結部材及び構築方法に関するものである。
【背景技術】
【０００２】
近年、地中に地下調整池としての貯留槽を埋設し、この貯留槽に多量の雨水を集めて一時的に貯留し、その後、貯留槽から雨水を徐々に排出することによって、河川への集中的な雨水の流入を防ぐことが広く行われている。ここで、貯留槽は、ボックスカルバート等のコンクリート製構造物から成るものであって（例えば、特許文献１参照）、その排水方式には、貯留した雨水を排出口から排出させる方式と、貯留した雨水を地下に徐々に浸透させる浸透方式がある。
【０００３】
排水方式として浸透方式を採用する貯留浸透槽に関して、特許文献２には、雨水を一時的に貯留することができる空間を備えた単位構造材を上下方向に積層した積層構造体を貯留浸透槽として地中に埋設する構成が提案されている。
【先行技術文献】
【特許文献】
【０００４】
【特許文献１】特開２００３−１８４１５９号公報
【特許文献２】特開２０１０−２２９８０３号公報
【発明の概要】
【発明が解決しようとする課題】
【０００５】
しかしながら、特許文献１等に開示されたコンクリート製構造物から成る貯留浸透槽は、コンクリート製構造物が重いために施行に困難を伴うという問題がある。
【０００６】
又、特許文献２において提案された貯留浸透槽においては、地表面を走行する車両等からの上載荷重を受けたり、地震の発生によって上下左右方向の荷重を受けると、その荷重に耐えられないで破損する可能性がある。
【０００７】
本発明は上記問題に鑑みてなされたもので、その目的とする処は、施工が容易で、地震等によっても破損することがない貯留浸透槽とその構築方法及び該貯留浸透槽の構築に使用される連結部材を提供することにある。
【課題を解決するための手段】
【０００８】
上記目的を達成するため、請求項１記載の発明は、樹脂によって一体成形される連結部材を、矩形プレート状のベース部の四隅から中空状の突起部を一体に突設して構成したことを特徴とする。
【０００９】
請求項２記載の発明は、矩形プレート状の複数のコンクリートパネルを請求項１記載の連結部材によって連結して成る矩形平面状の上壁と底壁とを、上下に対向する一対の前記連結部材の間にコンクリート柱を介設することによって互いに平行に配置し、これらの上壁と底壁の周囲をコンクリート製の複数の側壁パネルで囲んで貯留浸透槽を構成したことを特徴とする。
【００１０】
請求項３記載の貯留浸透槽の構築方法は、矩形プレート状の複数のコンクリートパネルを請求項１記載の連結部材によって連結して矩形平面状の底壁を形成し、各連結部材の突起にコンクリート柱を差し込んでこれらを略垂直に起立させた後、
互いに連結されたコンクリート製の複数の側壁パネルによって前記底壁の周囲を囲み、
前記コンクリート柱に請求項１記載の別の連結部材の突起に形成された穴を差し込んで該連結部材を前記コンクリート柱によって支持し、
矩形プレート状の複数のコンクリートパネルを前記別の連結部材によって連結して矩形平面状の上壁を形成することを特徴とする。
【発明の効果】
【００１１】
本発明によれば、貯留浸透槽の矩形平面状の上壁と底壁は、複数のコンクリートパネルを連結部材によって連結することによって構成され、これらの上壁と底壁の周囲は、複数の側壁パネルによって囲まれるため、コンクリートパネルとコンクリート製の側壁パネルの各１つずつは、ボックスカルバート等のコンクリート製構造物よりも格段に軽い。又、複数のコンクリートパネルを連結する連結部材も樹脂製であるために軽い。従って、軽くて小さく分割されたコンクリートパネルと側壁パネル及び連結部材の取り扱いが容易となり、これらを用いて貯留浸透槽を施工性良く簡単に構築することができる。
【００１２】
又、地中に埋設される貯留浸透槽の上壁と底壁はコンクリート柱によって互いに平行に支持され、当該貯留浸透槽の鉛直強度がコンクリート柱によって高められる。又、貯留浸透槽の水平強度は、上壁と底壁の周囲を囲む側壁パネルによって高められる。このため、上壁に過大な上載荷重や土圧が作用したり、大きな地震によって貯留浸透槽に過大な水平荷重が作用しても、当該貯留浸透槽に破損が発生することがない。特に、上壁と下壁を構成するコンクリートパネルと連結部材との連結を凹凸嵌合によって行い、両者の間にクリアランスを設けたり、側壁パネル同士の連結部にクリアランスを設けておけば、地震エネルギーの一部は、コンクリートパネルと連結部材との連結部及び側壁パネル同士の連結部のクリアランス分の変位によって吸収されるため、貯留浸透槽の耐震強度が高められる。
【００１３】
そして、以上のように構成された貯留浸透槽に一時的に貯留された雨水は、底壁を構成する複数のコンクリートパネル間の隙間や複数の側壁パネル間の隙間から地中へと徐々に浸透する。
【図面の簡単な説明】
【００１４】
【図１】本発明に係る貯留浸透槽の平面図である。
【図２】図１のＡ−Ａ線拡大断面図である。
【図３】本発明に係る連結部材の平面図である。
【図４】図３のＢ−Ｂ線断面図である。
【図５】（ａ）〜（ｃ）は本発明に係る貯留浸透槽のコンクリートパネルの平面図である。
【図６】図５（ａ）のＣ−Ｃ線断面図である。
【図７】本発明に係る貯留浸透槽の側壁パネルの斜視図である。
【図８】本発明に係る貯留浸透槽の側壁パネルの斜視図である。
【図９】本発明に係る貯留浸透槽の補強プレートの斜視図である。
【図１０】本発明に係る貯留浸透槽の構築方法（底壁を構成するコンクリートパネルを配置した状態）を示す部分平面図である。
【図１１】図１０のＤ−Ｄ線拡大断面図である。
【図１２】本発明に係る貯留浸透槽の構築方法（底壁を構成するコンクリートパネル同士を連結部材で連結した状態）を示す部分平面図である。
【図１３】図１２のＥ−Ｅ線拡大断面図である。
【図１４】連結部材の突起部に形成された穴にコンクリート柱の下端部を差し込んだ状態を示す図１３と同様の図である。
【図１５】本発明に係る貯留浸透槽の構築方法（側壁パネルと補強プレートを組み付けた状態）を示す部分平面図である。
【図１６】本発明に係る貯留浸透槽の構築方法（コンクリート柱の上端部に連結部材の突起部の穴を差し込んだ状態）を示す部分側断面図である。
【発明を実施するための形態】
【００１５】
以下に本発明の実施の形態を添付図面に基づいて説明する。
【００１６】
図１は本発明に係る貯留浸透槽の平面図、図２は図１のＡ−Ａ線拡大断面図である。
【００１７】
本発明に係る貯留浸透槽１は、地中に埋設されるものであって、図１及び図２に示すように、矩形プレート状の複数のコンクリートパネル２，３，４を本発明に係る複数の連結部材５によって連結して成る矩形平面状の上壁１Ａと底壁１Ｂ（図２参照）とを、上下に対向する一対の連結部材５の間にコンクリート柱６を介設することによって互いに平行に配置し、これらの上壁１Ａと底壁１Ｂの周囲を２種類のコンクリート製の複数の側壁パネル７，８で囲んで構成されている。尚、平板状の側壁パネル７同士及び平板状の側壁パネル７とＬ字状に屈曲する側壁パネル８とは、これらの内側に配置されたコンクリート製の補強プレート９によってそれぞれ連結されている。又、前記コンクリート柱６は、金属パイプの内部にコンクリートを充填して固化させることによって構成されている。
【００１８】
ここで、上記連結部材５の構成を図３及び図４に基づいて説明する。
【００１９】
即ち、図３は本発明に係る連結部材の平面図、図４は図３のＢ−Ｂ線断面図であり、図示の連結部材５は、射出成形によって製造される樹脂成形品であって、矩形プレート状のベース部５Ａの四隅から中空状の突起部５Ｂを一体に突設して構成されている。ここで、各突起部５Ｂは、中空テーパ状の有底筒として構成されており、図４に示すように、その内部にはテーパ穴５ａがそれぞれ形成されている。
【００２０】
次に、前記コンクリートパネル２，３，４の構成を図５（ａ）〜（ｃ）及び図６に基づいて説明する。
【００２１】
即ち、図５（ａ）〜（ｃ）は大きさの異なる３種類のコンクリートパネルの平面図、図６は図５（ａ）のＣ−Ｃ線断面図であり、図５（ａ）に示すコンクリートパネル２は、正方形のプレートであって、その一方の面の四隅には、所定の深さのテーパ状の嵌合穴２ａ（図６参照）が形成されている。尚、このコンクリートパネル２は、図１に示すように、側壁パネル７，８によって囲まれる矩形の領域の周囲を除く領域に配置されるものである。
【００２２】
又、図６（ｂ）に示すコンクリートパネル３は、図５（ａ）に示すコンクリートパネル２を４分割した大きさを有する長方形のプレートであって、その一方の面の長手方向両端部には、テーパ状の嵌合穴３ａが形成されている。尚、このコンクリートパネル３は、図１に示すように、側壁パネル７，８によって囲まれる矩形の領域の四隅を除く内側周囲に配置されるものである。
【００２３】
更に、図５（ｃ）に示すコンクリートパネル４は、図５（ａ）に示すコンクリートパネル２を１６分割した大きさを有する正方形のプレートであって、その一方の面の１箇所には、テーパ状の嵌合穴４ａが形成されている。尚、このコンクリートパネル４は、側壁パネル７，８によって囲まれる矩形の領域の４隅に配置されるものである。
【００２４】
ここで、貯留浸透槽１の上壁１Ａと底壁１Ｂ（図２参照）を構成するコンクリートパネル２同士の連結構造を図２に基づいて説明する。尚、
上壁１Ａを構成するコンクリートパネル２は、底壁１Ｂを構成するコンクリートパネル２の上方に上下を逆にして（嵌合穴２ａが下に向かって開口する向きに）配置され、隣接するコンクリートパネル２同士は、これらの下面に開口する嵌合穴２ａに各連結部材５の突起部５Ｂを下方から嵌合させることによって互いに連結される。
【００２５】
又、底壁１Ｂを構成するコンクリートパネル２は、嵌合穴２ａが上方に開口する向きに配置され、隣接するコンクリートパネル２同士は、これらの嵌合穴２ａに各連結部材５の突起部５Ｂを上方から嵌合させることによって互いに連結される。
【００２６】
そして、上壁１Ａと底壁１Ｂは、上下を逆にして対向する上下一対の各連結部材５の突起部５Ｂに形成されたテーパ穴５ａにコンクリート柱６を差し込んで両者間に介設することによって、上下に所定距離を隔てて平行に配置されている。尚、コンクリートパネル３，４同士及びコンクリートパネル２，３同士の連結もコンクリートパネル２同士の連結と同様に行われるため、これらの連結構造についての図示及び説明は省略する。
【００２７】
次に、２種類の前記パネル７，８と前記補強プレート９の構成を図７〜図９に基づいて説明する。
【００２８】
図７及び図８は側壁パネルの斜視図、図９は補強プレートの斜視図であり、図８に示す側壁パネル７は、コンクリートで矩形平板状に成形されたものであって、その左右両端部の上下には各２つのボルト孔７ａがそれぞれ形成されている。
【００２９】
又、図８に示す側壁パネル８は、コンクリートでＬ字状に屈曲成形されたプレートであって、その左右両端部の上下には各２つのボルト孔８ａがそれぞれ形成されている。
【００３０】
更に、図９に示す補強プレート９は、コンクリート製のプレートであって、一部が斜めにカットされた五角形を成しており、その縦方向の端面（接合面）の上下には、左右２本のボルト１０がそれぞれ植設されている。
【００３１】
次に、本発明に係る貯留浸透槽の構築方法を図１０〜図１６に基づいて以下に説明する。
【００３２】
尚、図１０は本発明に係る貯留浸透槽の構築方法（底壁を構成するコンクリートパネルを配置した状態）を示す部分平面図、図１１は図１０のＤ−Ｄ線拡大断面図、図１２は本発明に係る貯留浸透槽の構築方法（底壁を構成するコンクリートパネル同士を連結部材で連結した状態）を示す部分平面図、図１３は図１２のＥ−Ｅ線拡大断面図、図１４は連結部材の突起部に形成された穴にコンクリート柱の下端部を差し込んだ状態を示す図１３と同様の図、図１５は本発明に係る貯留浸透槽の構築方法（側壁パネルと補強プレートを組み付けた状態）を示す部分平面図、図１６は本発明に係る貯留浸透槽の構築方法（コンクリート柱の上端部に連結部材の突起部の穴を差し込んだ状態）を示す部分側断面図である。
【００３３】
本発明方法においては、先ず、図１０に示すように、図５（ａ）〜（ｃ）に示す３種類のコンクリートパネル２，３，４が平面上に付き合わせた状態で整然と並べられる。具体的には、図５（ａ）に示す複数のコンクリートパネル２を互いに付き合わせた状態で整然と並べ、これらのコンクリートパネル２によって形成される矩形領域の四隅を除く周囲に図５（ｂ）に示す細長い長方形のコンクリートパネル３を配置し、四隅に図５（ｃ）に示す小さな正方形のコンクリートパネル４を配置する。このとき、各コンクリートパネル２，３，４に形成された各嵌合穴２ａ，３ａ，４ａは、図１１に示すように（図１１には嵌合穴４ａは不図示）、上方に向かって開口している。
【００３４】
次に、図１２及び図１３に示すように、各コンクリートパネル２，３，４の隣接するもの同士を図３及び図４に示す連結部材５によって互いに連結する。例えば、図１３に示すように、図５（ａ）に示すコンクリートパネル２と図５（ｂ）に示すコンクリートパネル３とは、連結プレート５をその突起部５Ｂが下となる向きとして各突起部５Ｂをコンクリートパネル２，３に形成された各嵌合穴２ａ，３ａにそれぞれ嵌合させることによって、これらのコンクリートパネル２，３同士が連結部材５によって互いに連結される。又、図５（ａ）に示すコンクリートプレート２同士は、これらに形成された嵌合穴２ａに連結部材５の突起部５Ｂを嵌合させることによって互いに連結される。
【００３５】
以上のように、各コンクリートパネル２，３，４が連結部材５によって互いに連結されると、図１４に示すように、連結部材５の突起部５Ｂに形成されたテーパ穴５ａに各コンクリート柱６の下端部をそれぞれ差し込んでこれらを略垂直に起立させる。
【００３６】
その後、図１５に示すように、図７に示す側壁パネル７と図８に示す側壁パネル８を、コンクリートパネル２，３，４を並べて形成される矩形の平面領域の周囲に配置し、これらの側壁パネル７，８同士及び側壁パネル７同士を図９に示す補強プレート９によって互いに連結する。ここで、各補強プレート９は、側壁プレーパネル７，８の内側であって、隣接する２つの連結部材５の間に配置されており、その端面の上下に植設された各２つのボルト１０を側壁パネル７，８の両端部の上下にそれぞれ形成されたボルト孔７ａ，８ａに通し、その端部に螺合する不図示のナットを締め付けることによって側壁パネル７と側壁パネル８とが互いに連結され、或いは同種の側壁プレート７同士が互いに連結される。
【００３７】
次に、図１６に示すように、各接続部材５の突起部５Ｂに形成されたテーパ穴５ａに差し込まれて略垂直に起立する各コンクリート柱６の上端部に、突起部５Ｂが上を向く状態にセットされた各接続部材５の各突起部５Ｂに形成されたテーパ穴５ａを差し込むことによって、各接続部材５をコンクリート柱６に支持せしめる。そして、この状態から、コンクリート柱６に支持された各接続部材５の突起部５Ｂに、上壁１Ａを構成するコンクリートパネル２，３，４の各嵌合穴２ａ，３ａ，４ａをそれぞれ嵌合させることによって、図２に示すように、各コンクリートパネル２，３，４（図２にはコンクリートパネル２のみ図示）が接続部材５によって互いに接続され、図１に示す貯留浸透槽１が構築される。
【００３８】
以上のように、本発明に係る貯留浸透槽１とその構築方法によれば、貯留浸透槽１の矩形平面状の上壁１Ａと底壁１Ｂは、複数のコンクリートパネル２，３，４を連結部材５によって互いに連結することによって構成され、これらの上壁１Ａと底壁１Ｂの周囲は、複数の側壁パネル７，８によって囲まれるため、コンクリートパネル２，３，４とコンクリート製の側壁パネル７，８の各１つずつは、ボックスカルバート等のコンクリート製構造物のよりも格段に軽い。又、複数のコンクリートパネル２，３，４を接続する接続部材５も樹脂製であるために軽い。従って、軽くて小さく分割されたコンクリートパネル２，３，４と側壁パネル７，８及び連結部材５の取り扱いが容易となり、これらを用いて貯留浸透槽１を施工性良く簡単に構築することができる。
【００３９】
又、地中に埋設される貯留浸透槽１の上壁１Ａと底壁１Ｂはコンクリート柱６によって互いに平行に保持され、当該貯留浸透槽１の鉛直強度がコンクリート柱６によって高められる。又、貯留浸透槽１の水平強度は、上壁１Ａと底壁１Ｂの周囲を囲む側壁パネル７，８とこれらを連結する補強プレート９によって高められる。このため、上壁１Ａに過大な上載荷重や土圧が作用したり、大きな地震によって貯留浸透槽１に過大な水平荷重が作用しても、当該貯留浸透槽１に破損が発生することがない。特に、上壁１Ａと底壁１Ｂを構成するコンクリートパネル２，３，４と連結材５との連結を凹凸嵌合によって行い、両者の間にクリアランスを設けたり、側壁パネル７，８及び側壁パネル８同士の連結部にクリアランスを設けておけば、地震エネルギーの一部は、コンクリートパネル２，３，４と連結部材５との連結部及び側壁パネル７，８と側壁パネル８同士の連結部のクリアランス分の変位によって吸収されるため、貯留浸透槽１の耐震強度が高められる。
【００４０】
そして、以上のように構成された貯留浸透槽１に一時的に貯留された雨水は、底壁１Ｂを構成する複数のコンクリートパネル２，３，４間の隙間や複数の側壁パネル７，８及び側壁パネル８間の隙間から地中へと徐々に浸透する。
【符号の説明】
【００４１】
１          貯留浸透槽
１Ａ        貯留浸透槽の上壁
１Ｂ        貯留浸透槽の底壁
２〜４      コンクリートパネル
２ａ〜４ａ  コンクリートパネルの嵌合穴
５          連結部材
５Ａ        連結部材のベース部
５Ｂ        連結部材の突起部
５ａ        連結部材のテーパ穴
６          コンクリート柱
７，８      側壁パネル
７ａ，８ａ  側壁パネルのボルト孔
９          補強プレート
１０        ボルト
【図１】
2018131796.tif 000003
【図２】
2018131796.tif 000004
【図３】
2018131796.tif 000005
【図４】
2018131796.tif 000006
【図５】
2018131796.tif 000007
【図６】
2018131796.tif 000008
【図７】
2018131796.tif 000009
【図８】
2018131796.tif 000010
【図９】
2018131796.tif 000011
【図１０】
2018131796.tif 000012
【図１１】
2018131796.tif 000013
【図１２】
2018131796.tif 000014
【図１３】
2018131796.tif 000015
【図１４】
2018131796.tif 000016
【図１５】
2018131796.tif 000017
【図１６】
2018131796.tif 000018